(57)【要約】【課題】放射線治療における、高速な６自由度のベッド位置決め法を提供する。【解決手段】本発明では、複数方向からＸ線透視画像を撮影し、各画像の撮影方向に対応するＤＲＲを生成し、最適化アルゴリズムにて６自由度の患者ずれ量を仮生成する。ずれ量の面外回転成分を計算し、ＤＲＲ生成時からの変化が既定値より大きい場合にＤＲＲを再生成し、小さい場合にずれを各ＤＲＲの平面変換で近似する。ずれ量を各ＤＲＲの平面変換成分へ射影し、ＤＲＲ生成時から既定位置以上変化した場合にＤＲＲを平面変換する。変換されたＤＲＲとＸ線透視画像の類似度の総和（総類似度）を計算し、総類似度を増大させるよう最適化アルゴリズムで探索範囲を更新する。探索範囲が収束条件を満たす場合に計算を終了し、満たさない場合、再び最適化アルゴリズムで仮のずれ量を生成し、計算を繰り返す。これにより上記課題を解決する。【選択図】  図２
2010246733.tif 000002
【特許請求の範囲】
【請求項１】
複数方向から撮影されたＸ線透視画像と３次元画像を用いたベッド位置決め方法であって、
（１）３次元画像からＸ線透視画像のそれぞれに対応するＤＲＲを計算する手順と、
（２）最適化アルゴリズムにて仮の位置決め対象のずれ量を作成する手順と、
（３）前記ずれ量の全ＤＲＲ投影面に平行な軸の回転成分（面外回転成分）を計算する手順と、
（４−Ａ）面外回転成分がＤＲＲ生成時と比較して規定値以上変化した場合にはずれ量に基づいた位置関係で全ＤＲＲを作り直す手順と、
（４−Ｂ）面外回転成分の変化量が前記規定値より小さい場合には、前記ずれ量の各ＤＲＲの面内変換成分を計算し、面内変換成分がＤＲＲ生成時から前記規定値以上変化した場合にＤＲＲを平面変換する手順と、
（５）ＤＲＲとＸ線透視画像の各対で類似度の総和である総類似度を計算する手順と、
（６）前記総類似度を増大させるよう最適化アルゴリズムにて探索範囲を更新する手順と、
（７）（２）から（６）を繰り返し、最適化の探索範囲が規定の収束条件を満たすと計算を終了する手順と、
（８）得られた位置決め対象ずれ量を補正するベッド移動量を計算する手順を有することを特徴とするベッド位置決め方法。
【請求項２】
直交する２方向から前記Ｘ線透過画像を撮影することを特徴とする請求項１に記載のベッド位置決め方法。
【発明の詳細な説明】
【技術分野】
【０００１】
放射線治療におけるベッド位置決め方法に関する。
【背景技術】
【０００２】
放射線治療では治療対象の位置を治療計画と一致させるため、治療対象を載せたベッドの位置決めを行う。ベッド位置の決定には、治療計画画像と治療時に撮影するＸ線透視画像を用いる。体内の治療対象、あるいは治療対象近傍の対象を位置決め対象とし、位置決め対象を含む領域をＸ線透視撮影し、撮影された画像と治療計画の基準画像との比較から位置決め対象のずれ量を求める。そのずれ量を補正するようベッドの移動量を決定する。粒子線治療やＸ線ＩＭＲＴなどでは標的に集中した線量分布が実現可能であり、位置決めにおいても標的位置を計画と高精度で一致させる必要がある。標的位置を高精度に位置決めするため、位置決め対象の平行移動３自由度，回転３自由度の計６自由度に対して計画と治療時のずれを算出することが求められる。また、治療時間短縮のため、ベッド位置決め時間の短縮が求められている。
【０００３】
治療計画は治療前に予め撮影された３次元画像に対して行われる。３次元画像には典型的には複数のスライスで構成されるＸ線ＣＴ画像が用いられる。治療計画では３次元画像に写った位置決め対象と放射線照射装置に対する位置関係が計画される。
【０００４】
治療時における位置決め対象位置と放射線照射装置の位置関係は、放射線照射装置との位置関係が既知のＸ線撮影装置によって撮影した位置決め対象のＸ線透視画像により確認される。Ｘ線透視画像を用いるのは位置決め対象の内部構造を基準として位置決めするためである。Ｘ線透視画像は典型的には直交する２方向から別々の撮影装置で撮影される。
【０００５】
治療計画３次元画像と２次元のＸ線透視画像の比較では、治療計画３次元画像から数値シミュレーションにて生成したＸ線透視画像であるＤＲＲ（Digitally Reconstracted Radiograph）を生成し、２次元画像同士で比較を行う。ＤＲＲの生成では、計画された治療計画画像と放射線治療装置の位置関係を用いる。
【０００６】
ただし、２組の対応するＸ線透視画像とＤＲＲから６自由度のずれを自動的に検出することは困難なことが知られている。平面内の平行移動や平面に垂直な軸に対する回転（面内変換）は高精度で検出可能であるが、平面に平行な軸に対する回転（面外回転）の検出が困難である。
【０００７】
６自由度のずれを検出可能とする方法として、計画画像と放射線照射装置の位置関係が治療計画とは異なるＤＲＲを複数生成し、得られたＤＲＲの中で最もＸ線透視画像と一致するものを選ぶことで、３次元画像とＸ線透視画像を位置合わせする方法（ＤＲＲ生成最適化法）が知られている。ただし、全ての自由度に関してＤＲＲ生成最適化法を用いると計算時間が長くなるため、平面画像位置合わせを併用し高速化する手法として特許文献１、及び２がある。
【０００８】
特許文献１では、各ＤＲＲと対応するＸ線透視画像で面内変換に対しては平面画像位置合わせを行い、面外回転の２自由度に対してはＤＲＲ生成最適化を行い、全体として６自由度のずれ量を決定している。
【０００９】
特許文献２では、画像に対して面内変換とＤＲＲ再生成を組み合わせて画像を位置合わせし、画像のずれ量から患者ずれ量を求める。面内変換を行う場合、面内変換した画像を比較して画像類似度の最大化を行い、その過程で得られた平面画像のずれ量を３次元的な位置決め対象ずれ量へと変換して６自由度のずれ量を決定している。
【先行技術文献】
【特許文献】
【００１０】
【特許文献１】ＵＳ７，２０４，６４０
【特許文献２】ＵＳ７，４１２，０８６
【発明の概要】
【発明が解決しようとする課題】
【００１１】
治療時間短縮のため、ベッド位置決めにおける計算時間短縮が望まれている。特許文献１に記載の方法では、２組のＸ線透視画像撮影装置を用いる場合に各画像で６自由度決定するため、複数の画像から重複して決定される自由度が存在することになる。自由度の重複した決定をなくすことで計算時間の短縮の可能性がある。
【００１２】
また、特許文献２に記載されている面内変換結果を患者ずれ量に変換する手順では、以下の２点で不必要な計算をする可能性がある。１点目は、最適化の収束判定に関するものである。患者ずれ量の最適化では探索範囲が３次元空間内で十分狭くなった時点で計算を終了し、不必要な計算を省く事が可能と考えられる。しかし、特許文献２の方法では最低でも一回の面内変換後に患者ずれ量が求められるため、患者ずれ量の探索範囲が十分狭いにもかかわらず画像変換が行われる可能性がある。２点目は、最適化における位置パラメータの変化の経路に関するものである。患者ずれ量の最適化では６自由度空間において最適解を探索するが、最適化の経路を制限すると、収束までに多くの試行計算が必要になる可能性がある。例えば、上記手順に従って一つの画像対の面内変換による最適化を行うことは、６自由度のうち３自由度しか変換を許さない最適化となる。他の自由度を変化させるためには、面内変換のずれ量を患者ずれ量に変換し、ＤＲＲを再生成し、他の画像対に対して最適化するという手順が必要となる。以上の２点で考えられる不必要な計算を削減することで計算時間の短縮の可能性がある。
【００１３】
ベッド位置決めにおける計算時間の短縮には、精度を保ちながら計算量の少ない位置決め方法が必要である。従来法に比べて計算時間を短縮するため、精度を保ちながら計算量を減らすという課題があった。
【課題を解決するための手段】
【００１４】
本発明のベッド位置決め方法は、始めに複数方向から撮影されるＸ線透視画像の組を取得し、治療計画の位置関係に従い、（１）治療計画画像から各画像の撮影方向に対応するＤＲＲを生成し、（２）最適化アルゴリズムにて６自由度の患者ずれ量の仮生成を行う。その後、（３）ずれ量の全ＤＲＲ投影面に平行な軸の回転成分（面外回転成分）を計算し、（４−Ａ）面外回転成分が規定値より大きい場合にはずれ量に基づいた位置関係で全ＤＲＲを作り直し、（４−Ｂ）面外回転成分が規定値より小さい場合には、ずれ量の各ＤＲＲの面内変換成分を計算し、面内変換成分がＤＲＲ生成時から規定位置以上になった場合にＤＲＲを平面変換する。次に、（５）ＤＲＲとＸ線透視画像の各対で類似度の総和である総類似度を計算し、（６）総類似度を増大させるよう最適化アルゴリズムにて探索範囲を更新する。（７）上記（２）から（６）を繰り返し、最適化の探索範囲が規定の収束条件を満たすと計算を終了する。（８）得られた位置決め対象ずれ量を補正するベッド移動量を計算してベッド位置決めする。
【発明の効果】
【００１５】
上記方法により高速な６自由度のベッド位置決めが可能となり、ベッド位置決め時間の短縮が可能となる。
【図面の簡単な説明】
【００１６】
【図１】本発明の実施形態を示すシステム図。
【図２】本発明の実施例における処理フローを示す図。
【発明を実施するための形態】
【００１７】
以下、図面を参照して本発明を実施するための形態を説明する。
〔実施例１〕
図１に示すように、本実施例のベッド位置決め装置１０１，第１Ｘ線発生装置（Ｘ線管）２００と第１Ｘ線検出器２１０を有する第１Ｘ線透視画像撮影装置，第２Ｘ線発生装置（Ｘ線管）２２０と第２Ｘ線検出器２３０を有する第２Ｘ線透視画像撮影装置，Ｘ線透視画像撮影制御装置２４０，位置決め計算装置４００，治療制御装置５００，図示しない入力手段（キーバード，マウス等）を備える。
【００１８】
第１Ｘ線発生装置（Ｘ線管）２００は治療ビーム照射装置１００に取り付けられ、治療ビーム照射装置１００の移動（回転）とともに移動（回転）可能な構成を有する。第１Ｘ線検出器２１０は治療ビームのビームライン上に位置しており、ベッド１２０を基準として治療ビーム照射装置１００の反対側に配置される。また、第２Ｘ線透視画像撮影装置も移動可能な構成を有する。第２Ｘ線検出器２３０は、第２Ｘ線発生装置２２０から放射されて照射対象を透過したＸ線を検出する位置に配置される。つまり、第２Ｘ線発生装置２２０が移動すると、第２Ｘ線検出器２３０も移動してＸ線を検出する位置に設置される。
【００１９】
Ｘ線透視画像撮影制御装置２４０は、第１Ｘ線透視画像撮影装置及び第２Ｘ線透視画像撮影装置に接続され、これらを制御する。具体的には、Ｘ線透視画像撮影制御装置２４０は、第１Ｘ線発生装置２００及び第２Ｘ線発生装置２２０からのＸ線の照射開始及び照射停止の制御や、第１Ｘ線検出器２１０及び第２Ｘ線検出器２３０からのＸ線検出信号に基づく画像データの作成や、これらを設置する位置を制御する。
【００２０】
位置決め計算装置４００は、通信部４１０，演算器４２０及びメモリ４３０を有する。位置決め計算装置４００（具体的には通信部４１０）が、治療計画画像撮影装置１０２，治療制御装置５００及びＸ線透視画像撮影制御装置２４０に接続されている。通信部４１０は、演算部４２０を介してメモリ４３０に接続される。
【００２１】
治療制御装置５００がベッド１２０に接続される。治療制御装置５００は、位置決め計算装置４００の演算結果に基づいて、ベッド１２０の位置決め制御をする。
【００２２】
治療計画画像撮影装置１０２は、３次元画像撮影装置３００及び画像サーバ３１０を有する。
【００２３】
放射線治療システムではベッド１２０上の治療対象に治療ビーム照射装置１００から治療ビームを照射する。治療時に位置決め対象１３０を治療ビーム照射装置１００に対して計画通りの位置に配置するため、Ｘ線透視画像を撮影する。以下、ベッド位置決め装置１０１を用いてベッド１２０を位置決めする方法について説明する。
【００２４】
治療ビームによる治療を開始するために位置決め対象（患者）１３０がベッド１２０にのせられると、医者等の操作者は、患者１３０の体表面に描かれた十字マーク（患部の真上にレーザーで表示されたマーク等）がビームライン上に位置するように、入力装置（図示せず）を用いて治療制御装置５００にベッドの移動指令を入力する。治療制御装置５００は、その移動指令に基づいてベッド１２０を移動させ、体表面の十字マークがビームライン上に一致するように制御する。
【００２５】
操作者は、Ｘ線透視画像撮影装置の移動開始信号を、入力装置（図示せず）からＸ線透視画像撮影制御装置２４０に入力する。移動開始信号を受信したＸ線透視画像撮影制御装置２４０は、第１Ｘ線透視画像撮影装置及び第２Ｘ線透視画像撮影装置を移動させて所定の位置に配置する。第１Ｘ線透視画像撮影装置及び第２Ｘ線透視画像撮影装置は、患者１３０のＸ線撮影方向が直交する２方向となるように配置されている。その後、操作者がＸ線照射開始信号をＸ線透視画像撮影制御装置２４０に入力すると、Ｘ線透視画像撮影制御装置２４０からの指示で第１Ｘ線発生装置２００及び第２Ｘ線発生装置２２０からＸ線を照射し、第１Ｘ線検出器２１０及び第２Ｘ線検出器２３０で透過Ｘ線を検出する。第１Ｘ線検出器２１０及び第２Ｘ線検出器２３０は、透過Ｘ線を検出するとＸ線透視画像撮影制御装置２４０にＸ線検出信号を出力する。Ｘ線透視画像撮影制御装置２４０はこれらのＸ線検出信号に基づいて画像データを作成する。前述の通り、Ｘ線撮影方向は直交する２方向である。作成された画像データ（現在画像データ）は、位置決め計算装置４００に出力される。
【００２６】
位置決め計算装置４００は、Ｘ線透視画像撮影制御装置２４０から、通信部４１０を通して画像データを受信し、演算器４２０がメモリ４３０に画像データを保存する。
【００２７】
治療計画時に用いる３次元画像は３次元画像撮影装置３００で撮影する。撮影された画像データは画像サーバ３１０に保存される。治療時に位置決め計算装置４００が通信部を介して画像サーバから３次元画像を取得し、メモリ４３０に保存する。
【００２８】
位置決め計算装置４００では、Ｘ線透視画像と３次元画像データが保存されると、演算器４２０は３次元画像データからＤＲＲを計算する。演算器はＤＲＲとＸ線透視画像の比較を行い、最適化手順によりＸ線透視画像と３次元画像中の位置決め対象位置を対応付け、位置決め対象位置の計画からのずれを求める。演算器４２０は最終的に位置決め対象位置のずれから、ずれを補正するベッド移動量を求める。
【００２９】
操作者の指示により、計算されたベッド移動量は位置決め計算装置４００から治療制御装置５００に送られる。治療制御装置５００は、受信したベッド移動量に基づいて、ベッド１２０を移動して位置決め制御される。
【００３０】
本実施例の位置決め計算装置４００は、Ｘ線透視画像撮影制御装置２４０から受信した現在画像データ及び治療計画画像撮影装置１０２の画像サーバ３１０に記憶されていた画像データを用いて、ベッド１２０の位置決めデータを生成し、この位置決めデータを治療制御装置５００に出力する。以下、位置決め装置４００が位置決めデータを生成する処理手段を、図２のフローチャートを参照しながら説明する。なお、このような処理手段は位置決め計算装置４００のメモリ４３０に格納されている。
【００３１】
まず、位置決め計算装置４００は操作者の指示により、予め３次元画像撮影装置３００で撮影され画像サーバ３１０に保存された位置決め対象の３次元画像データを通信部４１０を通して取得し、メモリ４３０に保存する（ステップ１００）。
【００３２】
患者１３０の患部を治療ビームライン上に位置決めするに際し、ベッド１２０に乗せられた位置決め対象１３０の第１及び第２のＸ線透視画像を撮影する（ステップＳ１５０）。それぞれのＸ線透視画像は第１及び第２のＸ線透視画像撮影装置によって撮影される。撮影された現在画像データはＸ線画像撮影制御装置２４０から位置決め計算装置４００に送られる。位置決め計算装置４００はこの現在画像データを通信部４１０で受信し、演算器４２０を介してメモリ４３０に保存する。
【００３３】
位置決め計算装置４００は、治療計画時に３次元画像撮影装置３００で撮影した３次元画像と第１及び第２のＸ線透視画像撮影装置の計画された位置関係に従ってＤＲＲを計算する（ステップＳ２００）。ＤＲＲは、画素毎に対応するＸ線検出器の領域とＸ線源（Ｘ線発生装置のＸ線を放射する点）の間を結ぶ直線上において、３次元画像の画素値から変換された物質量を積算し、最終的にＸ線透過率に変換することで計算する。
【００３４】
治療計画の位置関係を基準位置とし、基準位置で計算されたＤＲＲを基準ＤＲＲとする。位置決め計算装置４００は、Ｘ線透視画像撮影時の位置決め対象位置１３０が基準位置からどれだけずれているかを以下の手順で求める。基準ＤＲＲがＸ線透視画像と一致する場合、位置決め対象の計画からのずれ量は全自由度について０である。
【００３５】
位置決め計算装置４００（具体的には演算器４２０）は、位置決め対象位置の基準位置からの仮のずれ量を最適化アルゴリズムにて生成する（ステップＳ３００）。ずれ量は平行移動３自由度，回転３自由度の６自由度の値の組である。最適化アルゴリズムにはパウエル−ブレント法などを用いる。上記の様に６自由度全てについてＤＲＲ生成最適化を行うと計算時間が長くなるため、できる限りＤＲＲの平面的な変換でずれを近似したい。しかし、全ＤＲＲの投影面に平行な軸の回転（面外回転）はいかなるＤＲＲの面内変換でも近似不能なため分けて扱う。
【００３６】
次に、位置決め計算装置４００（演算器４２０）は、生成された仮のずれ量の面外回転の成分を計算する（ステップＳ４００）。面外回転は全てのＸ線検出器面に平行な軸の回転である。面外回転成分は、ずれ量を表す座標軸の中で面外回転軸と一致する軸がある場合、その一致する軸の値を用いる。一致する軸が無い場合、回転３自由度を成分とするベクトルと、回転軸方向の単位ベクトルとの内積で求める。同様にＤＲＲ生成時のずれ量の面外回転成分も求める。
【００３７】
位置決め計算装置４００（演算器４２０）は、得られたずれ量の面外回転成分とＤＲＲ生成時のずれ量の面外回転成分を比較し、変化量が規定値以上か判断する（ステップＳ５００）。ここで、規定値は予めメモリ４３０に記憶されている基準値である。この面外回転成分の変化量が既定値より大きい場合、ＤＲＲの平面的変換で近似不可能と判断し、治療計画の位置関係から仮のずれ量分だけずれた位置関係においてＤＲＲを再生成する。つまり、規定値以上の場合には、位置決め計算装置４００（演算器４２０）は、基準位置にずれ量を適用した位置関係で全てのＤＲＲを再生成する（ステップＳ６００）。
【００３８】
面外回転成分の変化量が規定値以下の場合は、位置決め計算装置４００（演算器４２０）は、ステップＳ６１０及びＳ６２０で画像を平面変換する。面外回転が無視できるほど小さい場合、画像のずれは少なくとも一つのＤＲＲにおける面内変換（平面変換）で近似できる。
【００３９】
このように、ずれ量の面外回転成分が既定値より小さい場合、ずれを各ＤＲＲの平面的な変換で近似する。平面内の平行移動２成分と面内の回転を合わせて面内変換と呼び、３次元空間におけるずれ量を面内変換の成分へと射影する。この射影において、面内変換の成分がＤＲＲ生成時と比較して変化が少ない場合があり、この場合面内変換は不要となる。そのため本実施例では、面内変換の成分が既定値以上変化した場合のみ、ＤＲＲを面内変換する。
【００４０】
例えば、ＤＲＲ投影面に垂直な方向にずれ量が変化する場合、面内変換成分が変化しないため、ＤＲＲの面内変換が省略される。Ｘ線透視画像の撮影方向が直交している場合には、面内変換の省略可能な方向が増えるため好適である。また、ＤＲＲの再生成よりもＤＲＲの面内変換の方が高速なため、面外回転以外のずれを面内変換で近似することで、ずれ評価が高速化される。
【００４１】
位置決め計算装置４００（演算器４２０）が面内変換を行う方法を以下で説明する。まず、各ＤＲＲに対し、評価するずれ量からＤＲＲ生成時のずれ量を引いた、ずれ変化量の面内変換成分を計算する。ＤＲＲ生成時のずれ量は、ＤＲＲがステップＳ２００で生成された基準画像である場合には全成分で０であるが、ステップＳ６００で作り直されたＤＲＲの場合、有限の値を持つ。面内変換の平行移動成分２自由度は、ずれ量の平行移動成分３自由度を成分に持つベクトルと、ＤＲＲの面内の単位ベクトルとの内積により求める。面内変換の回転成分１自由度は、ずれ量の回転３自由度を成分とするベクトルとＤＲＲ面の単位垂直ベクトルとの内積により求める。以上で各ＤＲＲに対する面内変換成分（平行移動２自由度＋回転１自由度）が得られるため、位置決め計算装置４００（演算器４２０）はＤＲＲを平面変換する（ステップＳ６２０）。ただし、ずれ変化量がＤＲＲ面に垂直な場合など、面内変換成分に投影した場合に恒等変換となる場合があり、この場合には変換は必要ない。よって、ステップＳ６２０では、面内変換成分が規定値以上変化した場合のみＤＲＲの平面変換を行う。
【００４２】
上記ステップＳ６００、あるいはステップＳ６１０，Ｓ６２０により変換されたＤＲＲとＸ線透視画像との類似度を計算する（ステップＳ７００）。まずＤＲＲとＸ線透視画像の各対の類似度を個別に計算する。類似度には画素値の比較を基にした、画素値の差の２乗和や標準化相互情報量などを用いる。個別に得られた類似度を全て足し合わせ、総類似度とする。この総類似度を位置決め対象ずれ量の評価指標とする。
【００４３】
位置決め計算装置４００（演算器４２０）は、得られた総類似度を増大させるよう最適化アルゴリズムにて探索範囲を更新する（ステップＳ８００）。一般に仮のずれ量が探索範囲の端の点よりも総類似度が大きい場合、探索範囲を狭める。例えば、パウエル−ブレント法では探索範囲の端点の総類似度と探索範囲内の試行点での総類似度を比較し、試行点の総類似度が大きければ、試行点を新たな端点として探索範囲を狭める。ここで、総類似度が大きいことはＸ線透視画像と３次元画像から求めたＤＲＲ画像が類似することを示し、最も総類似度が大きい場合にこれらの画像が一致するとみなすことできる。つまり、総類似度を位置決め対象ずれ量の評価指標とし、総類似度が大きいほど、位置決め対象のＸ線撮影時の真のずれ量に近いと判断する。
【００４４】
ステップＳ８００で位置決め計算装置４００（演算器４２０）は更新された探索範囲が収束条件を満たすか判定する（ステップＳ９００）。本実施形態では探索範囲に対して収束条件を設定している。収束条件として、探索範囲が画像解像度よりも十分小さくなること、あるいは放射線照射から要求される位置決め精度を満たすことなどを用いる。探索範囲が治療計画画像の解像度よりも十分小さい場合にはそれ以上の探索は無意味となる。そこで予め、画像解像度を考慮した最小探索範囲をメモリ４３０に設定しておき、位置決め計算装置４００（演算器４２０）は探索範囲が最小探索範囲以下の領域になった時点で計算を終了する。条件を満たさない場合、位置決め計算装置４００（演算器４２０）はステップＳ３００に戻り、新たな試行点で計算を繰り返す。このように探索範囲が収束条件を満たす場合には計算を終了し、満たさない場合には、再び最適化アルゴリズムにて仮のずれ量を生成し、計算を繰り返す。
【００４５】
上記、ステップＳ１００からステップ９００により、位置決め対象位置の治療計画からのずれ量が求まるので、最終的にずれを補正するベッド移動量を計算し、ベッドの位置決めを行う（ステップＳ１０００）。
【００４６】
本実施例によれば、１組の６自由度変換パラメータに対して全ＤＲＲを変換し、総類似度で評価するため、特許文献１のようにＤＲＲ毎に変換パラメータを独立に最適化することで生じる最適化計算の重複は生じない。また、ＤＲＲ毎に最適化をしないため、特許文献２にあるような最適化経路の制限が無く、６自由度空間での最適化をＤＲＲ生成数を最小にしたまま実行可能である。また収束を位置決め対象ずれ量の探索範囲で判定するため、平面画像同士の最適化で必要以上に細かい領域内で最適化することがない。
【符号の説明】
【００４７】
１００  治療ビーム照射装置
１２０  ベッド
１３０  位置決め対象
２００  第１Ｘ線発生装置（Ｘ線管）
２１０  第１Ｘ線検出器
２２０  第２Ｘ線発生装置（Ｘ線管）
２３０  第２Ｘ線検出器
２４０  Ｘ線透視画像撮影制御装置
３００  ３次元画像撮影装置
３１０  画像サーバ
４００  位置決め計算装置
４１０  通信部
４２０  演算器
４３０  メモリ
５００  治療制御装置
【図１】
2010246733.tif 000003
【図２】
2010246733.tif 000004